【手続補正書】
【提出日】平成17年7月29日(2005.7.29)
【手続補正１】
【補正対象書類名】明細書
【補正対象項目名】特許請求の範囲
【補正方法】変更
【補正の内容】
【特許請求の範囲】
【請求項１】
単位当たりのデータ量が互いに異なる複数のフォーマットのディジタルデータを、ヘリカルトラックで磁気テープに記録するようにした記録装置において、
複数の記録フォーマット間で同一長の第１のブロックと、上記複数の記録フォーマット間で長さが異なる第２のブロックとを形成し、上記第１のブロックに対して上記記録フォーマットを識別するモード情報を格納するようにしたことを特徴とする記録装置。
【請求項２】
請求項１に記載の記録装置において、
上記複数の記録フォーマットのデータを略同一の記録波長で記録するようにしたことを特徴とする記録装置。
【請求項３】
請求項１に記載の記録装置において、
上記モード情報が格納されている上記第１のブロックの長さを指定するためのデータが上記第１のブロックにさらに格納されていることを特徴とする記録装置。
【請求項４】
単位当たりのデータ量が互いに異なる複数のフォーマットのディジタルデータがヘリカルトラックで記録可能な磁気テープから、記録されたディジタルデータの再生を行う再生装置において、
磁気テープのヘリカルトラックに記録された信号を再生し、再生された上記信号から、設定された長さのブロックを切り出す再生手段と、
上記再生手段での上記ブロックを切り出す上記長さを設定する再生制御手段と、
上記再生手段によって再生された上記ブロックのうち、記録フォーマットを識別するモード情報が格納されたブロックを検出し、該ブロックから上記モード情報を取り出す検出手段と
を有し、
上記磁気テープに所定間隔で記録されたタイミング信号を再生し、再生された該タイミング信号に基づき、上記再生手段での上記ブロックを切り出す上記長さを設定し、さらに、上記検出手段によって検出された上記モード情報に基づき、上記再生手段での上記ブロックを切り出す上記長さを設定するようにしたことを特徴とする再生装置。
【請求項５】
請求項４に記載の再生装置において、
上記検出手段は、上記再生手段によって再生された複数の上記ブロックの上記モード情報を用い、上記モード情報が所定回数以上繰り返されたときに上記記録フォーマットを確定することを特徴とする再生装置。
【請求項６】
単位当たりのデータ量が互いに異なる複数のフォーマットのディジタルデータをヘリカルトラックで磁気テープに記録し、記録された上記複数のフォーマットのディジタルデータを再生するようにした記録再生装置において、
複数の記録フォーマット間で同一長の第１のブロックに対して、上記記録フォーマットを識別するモード情報を格納するモード情報付加手段と、
上記複数の記録フォーマット間で異なる単位長を有するディジタルデータを、上記単位長に対応した長さの第２のブロックに格納して記録すると共に、上記モード情報付加手段によって上記モード情報を付加された、上記第１のブロックを記録する記録手段と、
磁気テープに記録された信号を再生し、再生された上記信号から、設定されたブロック長のブロックを切り出す再生手段と、
上記ブロック長を上記再生手段に対して設定する再生制御手段と、
上記再生手段によって再生された上記ブロックのうち、モード情報が格納されたブロックを検出し、該ブロックから上記モード情報を取り出す検出手段と
を有し、
上記磁気テープに所定間隔で記録されたタイミング信号を再生し、再生された該タイミング信号に基づき、上記再生手段での上記ブロック長を設定し、さらに、上記検出手段によって検出された上記モード情報に基づき、上記再生手段での上記ブロック長を設定するようにしたことを特徴とする記録再生装置。
【請求項７】
請求項６に記載の記録再生装置において、
上記記録手段は、上記複数の記録フォーマットのデータを略同一の記録波長で記録することを特徴とする記録再生装置。
【請求項８】
請求項６に記載の記録再生装置において、
上記モード情報が格納されている上記第１のブロックの長さを指定するためのデータが上記第１のブロックにさらに格納されていることを特徴とする記録再生装置。
【請求項９】
請求項６に記載の記録再生装置において、
上記検出手段は、上記再生手段によって再生された複数の上記ブロックの上記モード情報を用い、上記モード情報が所定回数以上繰り返されたときに上記記録フォーマットを確定することを特徴とする記録再生装置。
【請求項１０】
単位当たりのデータ量が互いに異なる複数のフォーマットのディジタルデータを、ヘリカルトラックで磁気テープに記録するようにした記録方法において、
複数の記録フォーマット間で同一長の第１のブロックと、上記複数の記録フォーマット間で長さが異なる第２のブロックとを形成し、上記第１のブロックに対して上記記録フォーマットを識別するモード情報を格納するようにしたことを特徴とする記録方法。
【請求項１１】
単位当たりのデータ量が互いに異なる複数のフォーマットのディジタルデータがヘリカルトラックで記録可能な磁気テープから、記録されたディジタルデータの再生を行う再生方法において、
磁気テープのヘリカルトラックに記録された信号を再生し、再生された上記信号から、設定された長さのブロックを切り出す再生手段と、
上記再生手段での上記ブロックを切り出す上記長さを設定する再生制御のステップと、
上記再生のステップによって再生された上記ブロックのうち、記録フォーマットを識別するモード情報が格納されたブロックを検出し、該ブロックから上記モード情報を取り出す検出のステップと
を有し、
上記磁気テープに所定間隔で記録されたタイミング信号を再生し、再生された該タイミング信号に基づき、上記再生のステップでの上記ブロックを切り出す上記長さを設定し、さらに、上記検出のステップによって検出された上記モード情報に基づき、上記再生のステップでの上記ブロックを切り出す上記長さを設定するようにしたことを特徴とする再生方法。
【請求項１２】
単位当たりのデータ量が互いに異なる複数のフォーマットのディジタルデータをヘリカルトラックで磁気テープに記録し、記録された上記複数のフォーマットのディジタルデータを再生するようにした記録再生方法において、
複数の記録フォーマット間で同一長の第１のブロックに対して、上記記録フォーマットを識別するモード情報を格納するモード情報付加のステップと、
上記複数の記録フォーマット間で異なる単位長を有するディジタルデータを、上記単位長に対応した長さの第２のブロックに格納して記録すると共に、上記モード情報付加のステップによって上記モード情報を付加された、上記第１のブロックを記録する記録のステップと、
磁気テープに記録された信号を再生し、再生された上記信号から、設定されたブロック長のブロックを切り出す再生のステップと、
上記ブロック長を上記再生のステップに対して設定する再生制御のステップと、
上記再生のステップによって再生された上記ブロックのうち、モード情報が格納されたブロックを検出し、該ブロックから上記モード情報を取り出す検出のステップと
を有し、
上記磁気テープに所定間隔で記録されたタイミング信号を再生し、再生された該タイミング信号に基づき、上記再生のステップでの上記ブロック長を設定し、さらに、上記検出のステップによって検出された上記モード情報に基づき、上記再生のステップでの上記ブロック長を設定するようにしたことを特徴とする記録再生方法。
【請求項１３】
単位当たりのデータ量が互いに異なる複数のフォーマットのディジタルデータを記録するようにした記録装置において、
複数の記録フォーマット間で同一長の第１のブロックと、上記複数の記録フォーマット間で長さが異なる第２のブロックとを形成し、上記第１のブロックに対して上記記録フォーマットを識別するモード情報を格納するようにしたことを特徴とする記録装置。
【請求項１４】
単位当たりのデータ量が互いに異なる複数のフォーマットのディジタルデータが記録された記録媒体からディジタルデータの再生を行う再生装置において、
記録された信号を再生し、再生された上記信号から、設定された長さのブロックを切り出す再生手段と、
上記再生手段での上記ブロックを切り出す上記長さを設定する再生制御手段と、
上記再生手段によって再生された上記ブロックのうち、記録フォーマットを識別するモード情報が格納されたブロックを検出し、該ブロックから上記モード情報を取り出す検出手段と
を有し、
所定間隔で記録されたタイミング信号を再生し、再生された該タイミング信号に基づき、上記再生手段での上記ブロックを切り出す上記長さを設定し、さらに、上記検出手段によって検出された上記モード情報に基づき、上記再生手段での上記ブロックを切り出す上記長さを設定するようにしたことを特徴とする再生装置。
【請求項１５】
請求項１４に記載の再生装置において、
上記検出手段は、上記再生手段によって再生された複数の上記ブロックの上記モード情報を用い、上記モード情報が所定回数以上繰り返されたときに上記記録フォーマットを確定することを特徴とする再生装置。
【請求項１６】
単位当たりのデータ量が互いに異なる複数のフォーマットのディジタルデータを記録し、記録された上記複数のフォーマットのディジタルデータを再生するようにした記録再生装置において、
複数の記録フォーマット間で同一長の第１のブロックに対して、上記記録フォーマットを識別するモード情報を格納するモード情報付加手段と、
上記複数の記録フォーマット間で異なる単位長を有するディジタルデータを、上記単位長に対応した長さの第２のブロックに格納して記録すると共に、上記モード情報付加手段によって上記モード情報を付加された、上記第１のブロックを記録する記録手段と、
記録された信号を再生し、再生された上記信号から、設定されたブロック長のブロックを切り出す再生手段と、
上記ブロック長を上記再生手段に対して設定する再生制御手段と、
上記再生手段によって再生された上記ブロックのうち、モード情報が格納されたブロックを検出し、該ブロックから上記モード情報を取り出す検出手段と
を有し、
所定間隔で記録されたタイミング信号を再生し、再生された該タイミング信号に基づき、上記再生手段での上記ブロック長を設定し、さらに、上記検出手段によって検出された上記モード情報に基づき、上記再生手段での上記ブロック長を設定するようにしたことを特徴とする記録再生装置。
【請求項１７】
請求項１６に記載の記録再生装置において、
上記検出手段は、上記再生手段によって再生された複数の上記ブロックの上記モード情報を用い、上記モード情報が所定回数以上繰り返されたときに上記記録フォーマットを確定することを特徴とする記録再生装置。
【請求項１８】
単位当たりのデータ量が互いに異なる複数のフォーマットのディジタルデータを記録するようにした記録方法において、
複数の記録フォーマット間で同一長の第１のブロックと、上記複数の記録フォーマット間で長さが異なる第２のブロックとを形成し、上記第１のブロックに対して上記記録フォーマットを識別するモード情報を格納するようにしたことを特徴とする記録方法。
【請求項１９】
単位当たりのデータ量が互いに異なる複数のフォーマットのディジタルデータが記録された記録媒体からディジタルデータの再生を行う再生方法において、
記録された信号を再生し、再生された上記信号から、設定された長さのブロックを切り出す再生手段と、
上記再生手段での上記ブロックを切り出す上記長さを設定する再生制御のステップと、
上記再生のステップによって再生された上記ブロックのうち、記録フォーマットを識別するモード情報が格納されたブロックを検出し、該ブロックから上記モード情報を取り出す検出のステップと
を有し、
所定間隔で記録されたタイミング信号を再生し、再生された該タイミング信号に基づき、上記再生のステップでの上記ブロックを切り出す上記長さを設定し、さらに、上記検出のステップによって検出された上記モード情報に基づき、上記再生のステップでの上記ブロックを切り出す上記長さを設定するようにしたことを特徴とする再生方法。
【請求項２０】
単位当たりのデータ量が互いに異なる複数のフォーマットのディジタルデータを記録し、記録された上記複数のフォーマットのディジタルデータを再生するようにした記録再生方法において、
複数の記録フォーマット間で同一長の第１のブロックに対して、上記記録フォーマットを識別するモード情報を格納するモード情報付加のステップと、
上記複数の記録フォーマット間で異なる単位長を有するディジタルデータを、上記単位長に対応した長さの第２のブロックに格納して記録すると共に、上記モード情報付加のステップによって上記モード情報を付加された、上記第１のブロックを記録する記録のステップと、
記録された信号を再生し、再生された上記信号から、設定されたブロック長のブロックを切り出す再生のステップと、
上記ブロック長を上記再生のステップに対して設定する再生制御のステップと、
上記再生のステップによって再生された上記ブロックのうち、モード情報が格納されたブロックを検出し、該ブロックから上記モード情報を取り出す検出のステップと
を有し、
所定間隔で記録されたタイミング信号を再生し、再生された該タイミング信号に基づき、上記再生のステップでの上記ブロック長を設定し、さらに、上記検出のステップによって検出された上記モード情報に基づき、上記再生のステップでの上記ブロック長を設定するようにしたことを特徴とする記録再生方法。
【手続補正２】
【補正対象書類名】明細書
【補正対象項目名】００２３
【補正方法】変更
【補正の内容】
【００２３】
また、この発明は、単位当たりのデータ量が互いに異なる複数のフォーマットのディジタルデータをヘリカルトラックで磁気テープに記録し、記録された複数のフォーマットのディジタルデータを再生するようにした記録再生方法において、複数の記録フォーマット間で同一長の第１のブロックに対して、記録フォーマットを識別するモード情報を格納するモード情報付加のステップと、複数の記録フォーマット間で異なる単位長を有するディジタルデータを、単位長に対応した長さの第２のブロックに格納して記録すると共に、モード情報付加のステップによってモード情報を付加された、第１のブロックを記録する記録のステップと、磁気テープに記録された信号を再生し、再生された信号から、設定されたブロック長のブロックを切り出す再生のステップと、ブロック長を再生のステップに対して設定する再生制御のステップと、再生のステップによって再生されたブロックのうち、モード情報が格納されたブロックを検出し、ブロックからモード情報を取り出す検出のステップとを有し、磁気テープに所定間隔で記録されたタイミング信号を再生し、再生されたタイミング信号に基づき、再生のステップでのブロック長を設定し、さらに、検出のステップによって検出されたモード情報に基づき、再生のステップでのブロック長を設定するようにしたことを特徴とする記録再生方法である。
また、この発明は、単位当たりのデータ量が互いに異なる複数のフォーマットのディジタルデータを記録するようにした記録装置において、複数の記録フォーマット間で同一長の第１のブロックと、複数の記録フォーマット間で長さが異なる第２のブロックとを形成し、第１のブロックに対して記録フォーマットを識別するモード情報を格納するようにしたことを特徴とする記録装置である。
また、この発明は、単位当たりのデータ量が互いに異なる複数のフォーマットのディジタルデータが記録された記録媒体からディジタルデータの再生を行う再生装置において、記録された信号を再生し、再生された信号から、設定された長さのブロックを切り出す再生手段と、再生手段でのブロックを切り出す長さを設定する再生制御手段と、再生手段によって再生されたブロックのうち、記録フォーマットを識別するモード情報が格納されたブロックを検出し、ブロックからモード情報を取り出す検出手段とを有し、所定間隔で記録されたタイミング信号を再生し、再生されたタイミング信号に基づき、再生手段でのブロックを切り出す長さを設定し、さらに、検出手段によって検出されたモード情報に基づき、再生手段でのブロックを切り出す長さを設定するようにしたことを特徴とする再生装置である。
また、この発明は、単位当たりのデータ量が互いに異なる複数のフォーマットのディジタルデータを記録し、記録された複数のフォーマットのディジタルデータを再生するようにした記録再生装置において、複数の記録フォーマット間で同一長の第１のブロックに対して、記録フォーマットを識別するモード情報を格納するモード情報付加手段と、複数の記録フォーマット間で異なる単位長を有するディジタルデータを、単位長に対応した長さの第２のブロックに格納して記録すると共に、モード情報付加手段によってモード情報を付加された、第１のブロックを記録する記録手段と、記録された信号を再生し、再生された信号から、設定されたブロック長のブロックを切り出す再生手段と、ブロック長を再生手段に対して設定する再生制御手段と、再生手段によって再生されたブロックのうち、モード情報が格納されたブロックを検出し、ブロックからモード情報を取り出す検出手段とを有し、所定間隔で記録されたタイミング信号を再生し、再生されたタイミング信号に基づき、再生手段でのブロック長を設定し、さらに、検出手段によって検出されたモード情報に基づき、再生手段でのブロック長を設定するようにしたことを特徴とする記録再生装置である。
また、この発明は、単位当たりのデータ量が互いに異なる複数のフォーマットのディジタルデータを記録するようにした記録方法において、複数の記録フォーマット間で同一長の第１のブロックと、複数の記録フォーマット間で長さが異なる第２のブロックとを形成し、第１のブロックに対して記録フォーマットを識別するモード情報を格納するようにしたことを特徴とする記録方法である。また、この発明は、単位当たりのデータ量が互いに異なる複数のフォーマットのディジタルデータが記録された記録媒体からディジタルデータの再生を行う再生方法において、記録された信号を再生し、再生された信号から、設定された長さのブロックを切り出す再生手段と、再生手段でのブロックを切り出す長さを設定する再生制御のステップと、再生のステップによって再生されたブロックのうち、記録フォーマットを識別するモード情報が格納されたブロックを検出し、ブロックからモード情報を取り出す検出のステップとを有し、所定間隔で記録されたタイミング信号を再生し、再生されたタイミング信号に基づき、再生のステップでのブロックを切り出す長さを設定し、さらに、検出のステップによって検出されたモード情報に基づき、再生のステップでのブロックを切り出す長さを設定するようにしたことを特徴とする再生方法である。また、この発明は、単位当たりのデータ量が互いに異なる複数のフォーマットのディジタルデータを記録し、記録された複数のフォーマットのディジタルデータを再生するようにした記録再生方法において、複数の記録フォーマット間で同一長の第１のブロックに対して、記録フォーマットを識別するモード情報を格納するモード情報付加のステップと、複数の記録フォーマット間で異なる単位長を有するディジタルデータを、単位長に対応した長さの第２のブロックに格納して記録すると共に、モード情報付加のステップによってモード情報を付加された、第１のブロックを記録する記録のステップと、記録された信号を再生し、再生された信号から、設定されたブロック長のブロックを切り出す再生のステップと、ブロック長を再生のステップに対して設定する再生制御のステップと、再生のステップによって再生されたブロックのうち、モード情報が格納されたブロックを検出し、ブロックからモード情報を取り出す検出のステップとを有し、所定間隔で記録されたタイミング信号を再生し、再生されたタイミング信号に基づき、再生のステップでのブロック長を設定し、さらに、検出のステップによって検出されたモード情報に基づき、再生のステップでのブロック長を設定するようにしたことを特徴とする記録再生方法である。